(57)【要約】      （修正有）【課題】流しの排水部内における汚れを、容易かつ正確に洗浄するため、排水パイプ内へ確実に取付けることができる清掃用具を提供する。【解決手段】流しのシンク１０下方に、防臭トラップを内部に設けた排水ダクトを配置し、この排水ダクト内に、防臭トラップを構成する排水パイプ２１を設け、この排水パイプ２１に設けられた排水穴２１ｂ内を、清掃用具３０で閉じることにより、排水パイプ２１内へ洗浄液を充満させて洗浄する。清掃用具３０は栓３１と柄３２を備え、栓３１を排水穴２１ｂ内へ挿入すると、柄３２に設けられたストッパであるセンタリング部材３４により、栓３１が所定の密栓位置Ｐへ確実に位置決めされる。【選択図】図７
2020128664.tif 000002
【特許請求の範囲】
【請求項１】
シンク（１０）下方に配置され内部に防臭トラップ（１４）が設けられた排水ダクト（１２）を有する流しの清掃用具において、
前記排水ダクト（１２）は、内部に前記防臭トラップ（１４）を構成する排水パイプ（２１）を備え、
前記清掃用具（３０）は、前記排水パイプ（２１）に設けられた上下方向に貫通する排水穴（２１ｂ）内へ挿入されてこの排水穴（２１ｂ）を所定位置で閉じる栓（３１）と、
この栓（３１）を下端部に設けた柄（３２）とを備えるとともに、
前記排水穴（２１ｂ）内における前記栓（３１）は、前記柄（３２）又は前記排水パイプ（２１）側に設けられた位置決め手段により、前記排水穴（２１ｂ）内の前記所定位置へ位置決めされることを特徴とする流しの清掃用具。
【請求項２】
上記請求項１において、
前記位置決め手段は、前記柄（３２）に設けられて、前記栓（３１）の所定位置で前記排水パイプ（２１）に当接することにより、前記柄（３２）の差し込みを規制するストッパからなることを特徴とする流しの清掃用具。
【請求項３】
上記請求項２において、
前記ストッパが、前記栓（３１）を前記排水穴（２１ｂ）内へ挿入したとき、前記排水パイプ（２１）の上部へ嵌合して、前記柄（３２）の心出しをするセンタリング部材（３４）であることを特徴とする流しの清掃用具。
【請求項４】
上記請求項２において、
前記ストッパは、前記柄（３２）の長さ方向に沿って上下方向に移動可能であり、かつ前記栓（３１）が所定位置にあるとき、前記柄（３２）に設けられた柄側ストッパ（３８）により上方移動を規制されるとともに、この柄側ストッパ（３８）の前記柄（３２）に対する固定位置を前記柄（３２）の長さ方向で調節移動可能にしたことを特徴とする流しの清掃用具。
【請求項５】
上記請求項１において、
前記位置決め手段は、前記栓（３１）が所定位置にあるとき、前記排水パイプの上端（２１ａ）位置を示すために前記柄（３２）に設けられた位置決め表示（５０）からなることを特徴とする流しの清掃用具。
【請求項６】
上記請求項１において、
前記位置決め手段は、前記排水パイプ（２１）に設けられて、前記排水穴（２１ｂ）の内側へ突出するストッパ部（６０・６０Ａ）で構成され、
前記栓（３１）を前記排水穴（２１ｂ）内へ挿入したとき、前記栓（３１）がストッパ部（６０・６０Ａ）へ押し当てられて位置決めされることを特徴とする流しの清掃用具。
【発明の詳細な説明】
【技術分野】
【０００１】
この発明は、流しの排水ダクトを容易かつ確実に清掃できるようにした清掃用具に関する。
なお、本願発明において洗浄とは、排水ダクト内に生じるヌメリのある汚れを除去もしくは減少させることを意味する。
また、洗浄による汚れの除去とは、洗浄液で汚れを分解し、その後、水洗いで容易に洗い流すことができる程度にすることを意味する。
また、上方及び下方とは、排水ダクトを流しに取付けた使用状態を基準とし、その上下方向は図２及び図４の上下方向と一致する。左右方向とは上下方向と直交する方向である。
【背景技術】
【０００２】
流しの排水部として、内部に防臭トラップを設けた大径の排水ダクトと、この下部へ着脱自在に接続する排水ホースとを備えたものがある。防臭トラップは排水ダクト内に設けられた小径の排水パイプと、この上部開口を覆う防臭キャップで構成されている。
この排水ダクト内には、細菌の繁殖や油脂等によるヌメリのある汚れが付着しやすいため、この汚れを落として清潔にし、衛生的に保つ必要がある。
しかし、この洗浄は、ヌメヌメした排水ダクト内へ手を入れて作業しなければならないため、薄気味悪く不快なものであった。また、洗浄する場所が深くかつ狭いために作業しづらい部分がある等の理由により、洗浄に時間がかかり、かつ汚れが部分的に残ってしまうこともあった。
そこで、排水パイプの上部開口を中蓋で覆うことにより、排水パイプ周囲の排水ダクト内へ洗浄液を入れて洗浄するものがある（特許文献１参照）。
【先行技術文献】
【特許文献】
【０００３】
【特許文献１】特開２００７−２４７３７７号公報
【発明の概要】
【発明が解決しようとする課題】
【０００４】
引用文献１は、洗浄液にて排水ダクト内を洗浄できるが、このために、排水パイプの上部開口を中蓋で閉塞しなければならない。このため、最も汚れが酷い排水パイプ内を洗浄液で洗浄できない。
そこで、本願発明者は先に、栓と柄からなる清掃用具を用い、排水パイプ内部に栓を押し込んで密栓し、排水パイプ内部に洗浄液を充満させて洗浄することを提案した（特願２０１８−２０６９５３）。
このようにすると、排水パイプの内部へ洗浄液を溜めることができるので、排水パイプ内部を確実に洗浄することが可能になる。
しかし、この清掃用具を用いる場合、栓を排水パイプ内部へ押し込むとき、直接目視しながら作業できないので、密栓位置を手探りで決めることになる。
その結果、栓を押し込みすぎて排水ホース側へ飛び出させて密栓不能にしたり、排水管の比較的浅い位置で密栓してしまうことにより、排水パイプ内部に対する洗浄が不十分になることがあった。このため、栓を排水パイプ内部へ押し込むとき、所定位置で確実に密栓できるようにすることが求められる。
【課題を解決するための手段】
【０００５】
上記課題を解決するため本願発明に係る流しの清掃用具は、シンク（１０）下方に配置され内部に防臭トラップ（１４）が設けられた排水ダクト（１２）を有する流しの清掃用具において、
前記排水ダクト（１２）は、内部に前記防臭トラップ（１４）を構成する排水パイプ（２１）を備え、
前記清掃用具（３０）は、前記排水パイプ（２１）に設けられた上下方向に貫通する排水穴（２１ｂ）内へ挿入されてこの排水穴（２１ｂ）を所定位置で閉じる栓（３１）と、
この栓（３１）を下端部に設けた柄（３２）とを備えるとともに、
前記排水穴（２１ｂ）内における前記栓（３１）は、前記柄（３２）又は前記排水パイプ（２１）側に設けられた位置決め手段により、前記排水穴（２１ｂ）内の前記所定位置へ位置決めされることを特徴とする。
【０００６】
このようにすると、清掃用具の柄を持って栓を排水穴内へ押し込んで密栓することにより、排水穴を閉じて排水パイプ内へ洗浄液を充満させ、所定時間このまま放置するだけで、排水パイプ内及びその周囲の排水ダクト内を洗浄可能になる。
この密栓作業において、栓は直接目視確認できず、排水パイプ内へ手探りで押し込まれるが、位置決め手段を備えるため、栓が所定位置へ挿入されたとき、この位置で挿入停止され、位置決めされる。
【発明の効果】
【０００７】
本願発明の清掃用具は、清掃用具の柄を持って栓を排水穴内へ挿入することにより、密栓して排水穴を閉じることができる。その結果、排水パイプの排水穴内及びその周囲の排水ダクト内へ洗浄液を充満させて排水パイプの排水穴内を含む排水ダクト内を洗浄することができ、これらの正確な洗浄が可能になる。
しかも、密栓作業において、栓は排水パイプの排水穴内へ手探りで押し込まれるが、位置決め手段により、挿入時に栓が所定位置で位置決めされる。このため、排水パイプの排水穴内へ手探りで挿入するものでありながら、排水穴を所定の位置にて確実に密栓できるとともに、密栓作業が容易かつ迅速になる。
【図面の簡単な説明】
【０００８】
【図１】一般的な流しの概略を示す図
【図２】第１実施例に係る清掃用具を用いた洗浄状態を示す流しの断面図
【図３】排水ダクトの構成部品を展開して示す斜視図
【図４】清掃用具を用いない通常使用状態の流しの断面図
【図５】第１実施例に係る清掃用具の斜視図
【図６】上記清掃用具の断面図
【図７】上記清掃用具を取付けた状態における排水ダクトの断面図
【図８】種々な密栓位置を示す断面図
【図９】第１実施例に係るセンタリング部材を位置決め部材とした各種変形例の断面図
【図１０】第２実施例に係る長尺の柄を有する清掃用具の使用状態における流しの断面図
【図１１】別形式のセンタリング部材を用いた第３実施例の断面図
【図１２】第４実施例に係る位置決め部材による栓の各種密栓位置を示す断面図
【図１３】位置決め手段が位置決め表示である第５実施例の断面図
【図１４】位置決め手段が排水パイプの下端部に設けられた第６実施例の部分断面図
【図１５】上記第６実施例の変形例を示す部分断面図
【発明を実施するための形態】
【０００９】
図１は業務用として使用される流しの一例についてその概略を示す。業務用の流しとは飲食業の調理場で使用され、営業中に洗浄することが難しく、営業後に集中して洗浄することが求められる流しを意味し、随時洗浄できる家庭用の流しと異なる。但し、構造は家庭用の流しと大差がない。
【００１０】
流しのシンク１０の下方には排水部１１が設けられている。
排水部１１は、大径の筒状部材である排水ダクト１２と、これより小径の排水ホース１３を備える。
排水ダクト１２の上端部はシンク１０の底部１０ａに接続し、内部下方には防臭トラップ（後述）が設けられている。
排水ホース１３の上端部は排水ダクト１２の底部へ接続し、下端部は床下へ延びている。
【００１１】
図２は、清掃用具を使用した清掃時における排水ダクト１２を断面にした拡大図であり、図３は、排水ダクト１２の構成部品を展開して示す図である。また、図４には清掃用具を用いない通常使用状態における流しの断面図を示してある。
図３にも示すように、排水ダクト１２は、上方へ開放された大きな上部開口を有する有底筒状のプラスチック製部材である。大きな上部開口は、排水ダクト１２の上端部に設けられている。この排水ダクト１２の外形部を特にダクト本体部２０とする。
【００１２】
排水ダクト１２の上端部外周には、大きな上部開口を囲んでリング状のフランジ２７が一体に設けられている。このフランジ２７は、底部１０ａに設けられた開口１０ｂを貫通し、パッキン１９ａを介してナット１９で底部１０ａを上下から挟持することにより、底部１０ａと液密に接続している（図２）。
排水ダクト１２の下端部には、排水ホース１３の上端部が接続されている。
排水ホース１３の下端部は床１１ａの排水キャップ１１ｂ（図１）を貫通し、床下の下水配管（図示省略）へ接続している。
シンク１０内の排水は、排水ダクト１２から排水ホース１３を通り、床下へ流れる。
【００１３】
排水ダクト１２のダクト本体２０内には、防臭トラップ１４が設けられ、下水側の臭気が矢示ａ（図４）のように、排水ホース１３から、排水ダクト１２を通って、シンク１０内へ漏れ出すことを防いでいる。
防臭トラップ１４は、ダクト本体２０の内側へ一体に設けられた排水パイプ２１と、その上端２１ａに被せられる防臭キャップ１５とを備える。
【００１４】
排水ダクト１２内には、防臭キャップ１５の上方に、かご１６、ゴムキャップ１７及び密閉蓋１８がこの順に重なって収容される（図３及び図４参照）。
排水ダクト１２は、これらの構成部品（防臭キャップ１５、かご１６、ゴムキャップ１７及び密閉蓋１８）を排水ダクト１２内へ収容して組立てて使用される。但し、密閉蓋１８は殆どの場合、外されて別置きされる（図４）。しかし、この実施例の清掃時には、密閉蓋１８を図２のようにゴムキャップ１７の上に重ねられている。
【００１５】
なお、図３には本願発明の第１実施例に係る清掃用具３０も一緒に示してある。但し、清掃用具３０は通常の流し使用時（図４の状態）には用いられず、清掃時（図２の状態）に使用するものであり、排水ダクト１２内を洗浄するとき、排水部１１の排水路１１ｃを閉じて、排水ダクト１２内に洗浄液を充満させるための部材である。詳細は後述する。
【００１６】
以下、図２〜図４を中心にして流しの各構成部品について詳細を説明する。
まず、排水ダクト１２を詳細に説明する。
図２に示すように、排水ダクト１２のダクト本体２０は下部側に段部２２が設けられ、この段部２２より下方が小径部２４をなし、その底部２５は排水パイプ２１に連続している。
【００１７】
ダクト本体２０における段部２２より上方部分の内径は大きな上部開口の開口径にほぼ同じく、小径部２４の内径は段部２２の内方突出分だけ小さくなっている。
段部２２は、排水パイプ２１の上端２１ａとほぼ同じ高さに形成され、ダクト本体２０の内面２０ａで段部２２から上方へ若干離れた位置にダクト側突起２３が形成されている。
【００１８】
排水パイプ２１は排水ダクト１２の内側に底部２５と一体に設けられたパイプ状部材であり、排水ダクト１２の軸心に沿って上下方向へ延びている。
排水パイプ２１の上部は底部２５から上方へ比較的長く延出している。
排水パイプ２１の下部は底部２５の下方へ若干量突出している。
【００１９】
排水パイプ２１には上下に貫通する軸穴が設けられ、この軸穴が排水ダクト１２の排水穴２１ｂをなし、上下端部は開放されている。この排水穴２１ｂは、排水ホース１３のホース穴１３ｇとともに排水部１１の排水路１１ｃになっている。排水穴２１ｂの穴径（後述のＤ１）は小径部２４の内径より小さくなっている。
【００２０】
ダクト本体２０、排水パイプ２１及び底部２５に囲まれた空間は、液封部２６をなし、ここに封止液２６ａが滞留している。封止液２６ａの液面は、防臭トラップ１４の高さ、より厳密には上端２１ａの位置を示す直線Ｑ（図４）と同程度であり、段部２２の高さともほぼ同じになっている。封止液２６ａは、排水の一部が排水ダクト１２内の液封部２６内に残留する部分であり、臭気の漏れ出しを防いでいる。
【００２１】
なお、排水ダクト１２内に洗浄液を充満させるには、排水路１１ｃ、例えば、排水パイプ２１の排水穴２１ｂを閉じる必要がある。排水穴２１ｂを閉じない限り、排水ダクト１２内には封止液２６ａが残留するだけであり、それより上方に洗浄液を滞留させることができない。また、排水パイプ２１の排水穴２１ｂ内も同時に洗浄するには、排水路１１ｃの内部を閉じて排水穴２１ｂ内に洗浄液を充満させなければならない。
【００２２】
排水パイプ２１の下端部は排水ダクト１２の底部２５から下方へ突出する突部２１ｄをなし、この下端が排水パイプ２１の下端２１ｃになっている。排水パイプ２１の下端２１ｃには、排水穴２１ｂの下端が開口し、これが排水ダクト１２の排水口穴になっている。
突部２１ｄの外周部には、排水ホース１３の上端部に設けられたナット１３ａが締結されるようになっている。
【００２３】
排水穴２１ｂの穴径は上下方向全長で一定のＤ１である。この例における排水ホース１３におけるホース穴１３ｇの穴径もＤ１と同じであり、排水穴２１ｂとホース穴１３ｇは連通接続し、通路径一定の排水路１１ｃになっている（図４）。
なお、流しの仕様により、ホース穴１３ｇの穴径は、排水穴２１ｂの穴径Ｄ１よりも大きい場合も、小さい場合もある。
【００２４】
次に、図３を中心に防臭キャップ１５の詳細を説明する。
防臭キャップ１５は天井部１５ａを有する下向きに開放された略カップ状をなすプラスチック製の部材であり、排水パイプ２１の外側を囲む筒状部１５ｂが天井部１５ａと一体に設けられている。
【００２５】
天井部１５ａの上部には、つまみ１５ｃが上方へ突出して設けられている。
筒状部１５ｂの上部にはキャップ側突起１５ｄが径方向外方へ突出して設けられている。
筒状部１５ｂの内径は排水パイプ２１の外径よりも大きく、外径は小径部２４の内径よりも小さい。
また、筒状部１５ｂの上下方向長さは、排水パイプ２１に被せたとき、排水パイプ２１の大半に重なる程度であり、好ましくは下端部１５ｅ（図４）が排水ダクト１２の底部２５近傍に達する程度である。
【００２６】
防臭キャップ１５は、通常時において、排水パイプ２１の上端２１ａ上方へ間隔を持って被せられ、キャップ側突起１５ｄを段部２２とダクト側突起２３の間に係合することにより排水ダクト２０側へ固定されている（図４）。
また、清掃用具３０の使用時には、キャップ側突起１５ｄと排水ダクト１２側との係合を解除し、排水ダクト１２側と非固定にされる（図２）。
【００２７】
図４に示すように、防臭キャップ１５の固定状態では、天井部１５ａは上端２１ａの上方を、若干の間隔を持って覆う。また、筒状部１５ｂの下端部１５ｅと底部２５との間にも若干の間隙が形成される。
その結果、防臭キャップ１５と排水パイプ２１及び小径部２４の内側には、矢示ａで示す迷路状の通路が形成される。
【００２８】
排水ホース１３を通って上昇する臭気は、この迷路状の通路を通ることになるが、小径部２４、排水パイプ２１及び底部２５に囲まれた液封部２６には封止液２６ａが滞留し、この封止液２６ａにより臭気が封止され、排水ダクト１２の上部開口側へ漏れ出さない。
【００２９】
かご１６は、上方へ開放された有底筒状のプラスチック製又は金属製（好ましくはステンレス製）の部材であり、フランジ１６ａ、網で構成された筒状の本体部１６ｂ及び底部１６ｃを備える。
フランジ１６ａは排水ダクト１２の上端部に設けられているフランジ凹部２７ａ（図２）に嵌合する。
【００３０】
ゴムキャップ１７はゴム等の弾性体からなり、図３に示すように、外周部に形成される厚肉のパッキン部１７ａと、その内側に一段低くなって形成される可動膜弁１７ｂを備える。
ゴムキャップ１７は  菊割れふたとも称され、複数の可動膜弁１７ｂが放射状に形成されている。
パッキン部１７ａは、図４に示すように、フランジ凹部２７ａ内に支持されているフランジ１６ａの上へ重なり、密に嵌合することにより、フランジ１６ａをフランジ凹部２７ａに固定している。
【００３１】
次に、清掃用具３０について説明する。
図５は、第１実施例に係る清掃用具３０の斜視図、図６はその断面図である。これらに示すように、清掃用具３０は、栓３１と、この栓３１を下端部に固定した柄３２を備える。
柄３２の上端部にはハンドル３３が設けられ、柄３２の長さ方向中間部にはセンタリング部材３４が設けられている。
【００３２】
栓３１はゴム等の弾性体からなる部材であり、排水穴２１ｂを所定位置で閉じる。
栓３１は略円錐台状の形状をなし、上面３１ａは外径がＤ４なる大径部をなす。この外径Ｄ４は排水パイプ２１の内径Ｄ１より若干大きくなっており（Ｄ１＜Ｄ４）、栓３１を排水穴２１ｂ内へ押し込んだとき、上面３１ａの外周部が圧縮され、外径Ｄ４が縮径されるように上面３１ａの外周部が弾性変形して排水パイプ２１の排水穴２１ｂ内面へ密着することにより密栓するようになっている。
下面３１ｂは外径がＤ５なる小径部をなす（Ｄ４＞Ｄ５）。Ｄ４は栓３１における最大外径部の外径、Ｄ５は最小外径部の外径である。側面３１ｃは下方が中心方向へ向かって傾斜するテーパー面をなす。
【００３３】
柄３２は、中実もしくはパイプ状で比較的剛性のある金属製もしくはプラスチック製で直線状の棒状部材が好ましい。
この実施例における柄３２は比較的細径で中実のステンレス棒であり、その上端部に上部ボス３６が外嵌され、これと柄３２を軸直交方向へ貫通する丸棒状のハンドル３３により連結一体化されている。
【００３４】
柄３２の長さは、図２に示すように、清掃用具３０の使用時にて、柄３２の上端である上部ボスの上端３６ａと排水パイプ２１の上端２１ａとの距離である突出量Ａが所定量になるように設定される。
すなわち、突出量Ａは、上端３６ａが防臭キャップ１５の天井部１５ａ下面へ点接触し、同時にキャップ側突起１５ｄが段部２２から所定量Ｂだけ離れるように防臭キャップ１５を持ち上げ、さらに防臭キャップ１５がかご１６を所定量Ｃだけ持ち上げることができる量である。
【００３５】
ハンドル３３は、栓３１を排水穴２１ｂ内へ挿入するとき、指先で清掃用具３０を持つ部分であり、ハンドル３３に力を加えて押し下げることにより、栓３１で排水路１１ｃを密栓できる。
また、洗浄後に、清掃用具３０を排水パイプ２１から取り外すとき、専用の取り出し工具（図示せず）で引き出す部分でもある。ハンドル３３の大きさや形状は、指で持ちやすい程度であれば良く、長さは、防臭キャップ１５内へ収容可能な程度である。
専用の取り出し工具は、ハンドル３３を引っかけることにより、清掃用具３０を排水パイプ２１から上方へ引き出すようにした工具であり、種々な構造のものがある
【００３６】
センタリング部材３４は、天井壁３４ａを有する下向きに開放された略カップ状の部材であり、排水パイプ２１の上部に外嵌する筒状壁３４ｂが天井壁３４ａと一体に設けられている。センタリング部材３４は、金属製もしくはプラスチック製であり、金属の場合はステンレスが好ましい。
天井壁３４ａには洗浄液を通すための穴３４ｃが柄３２の回りに複数設けられている。
【００３７】
天井壁３４ａの中心部には柄３２が貫通し、センタリング部材３４は柄３２に対してその長さ方向へ相対移動可能である。但し、排水穴２１ｂ内へ押し込まれた栓３１が所定の密栓位置にあるとき、天井壁３４ａが排水パイプ２１の上端２１ａに当接するとともに、天井壁３４ａがこの位置からさらに上方へ移動しないように、天井壁３４ａの上方移動を規制する柄側ストッパ３８が柄３２に設けられている。すなわち、センタリング部材３４は柄３２に対してその長さ方向へある程度の範囲で移動自在であるが、栓３１が所定の密栓位置になったときは、それ以上の上動が規制されるようになっている。柄側ストッパ３８については後から詳述する。
【００３８】
筒状壁３４ｂの内径は排水パイプ２１の外径よりも僅かに大きい程度であり、栓３１を排水穴２１ｂ内へ挿入すると、筒状壁３４ｂが排水パイプ２１の上部に微小クリアランスで外嵌する。これにより、柄３２がほぼ排水穴２１ｂの中心に沿う状態で維持されるようにセンタリングされるので、柄３２の倒れ込みを防ぎ、栓３１の密栓状態を維持できる。
【００３９】
図７は、清掃用具３０で排水パイプ２１を閉じた状態を示し、栓３１が所定の密栓位置Ｐにあり、センタリング部材３４は、天井壁３４ａの下面が排水パイプ２１の上端２１ａに当接し、上面が柄側ストッパ３８に当接している。
センタリング部材３４は、本願発明における位置決め手段をなす部材であり、位置決め手段を構成するストッパをなしている。より厳密には、天井壁３４ａが位置決め手段を構成するストッパの一部をなしている。
【００４０】
ストッパは、柄３２に対して長さ方向移動を規制されて固定されるものと、可動にされたものがある。この例におけるセンタリング部材３４は可動ストッパに相当する。なお、天井壁３４ａを柄３２に固定して長さ方向移動不能にした固定ストッパとすることは自由である。
また、可動ストッパは可動部と柄３２側の固定部とに分離される。栓３１が所定の密栓位置Ｐに至らない段階では、可動部は柄３２に対して長さ方向移動可能であり、天井壁３４ａが相当する。固定部は予め柄３２上へ長さ方向へ移動不能に固定された柄側ストッパ３８が相当する。
【００４１】
栓３１が所定の密栓位置Ｐに至ると、可動部の天井壁３４ａが固定部の柄側ストッパ３８により、長さ方向上方への移動を規制されるようになっている。
さらに、柄側ストッパ３８は、固定位置を柄３２の長さ方向で調整移動可能にしたものと、調整移動不能にしたものがある。この例では調整移動不能にしてあるが、いずれにするかは自由であり、これについての詳細は後述する。
【００４２】
センタリング部材３４は、位置決め手段のストッパとして、栓３１が排水パイプ２１内の所定位置で密栓するように位置決めする。この位置決めは、排水パイプ２１内における栓３１を、排水パイプ２１の上端２１ａから密栓所定距離Ｄまで挿入したとき、挿入移動を強制的に停止させることにより行われる。
【００４３】
密栓所定距離Ｄは、排水パイプ２１の上端２１ａ（直線Ｑ）から所定の密栓位置Ｐまでの距離である。この密栓所定距離Ｄは、柄側ストッパ３８の位置で決定される。すなわち、柄側ストッパ３８と栓３１（密栓部）との距離は、密栓所定距離Ｄに天井壁３４ａの板厚分を加えたものである。したがって、柄側ストッパ３８の柄３２上における位置を、例えば、長さ方向上方へ移動させれば、柄側ストッパ３８と栓３１との距離が大きくなり、密栓所定距離Ｄが大きくなる。その結果、所定の密栓位置Ｐは下方へ移動することになる。柄側ストッパ３８を反対側へ移動させれば、密栓所定距離Ｄは小さくなり、所定の密栓位置Ｐは上方へ移動する。
【００４４】
図８は密栓位置について説明する図である。所定の密栓位置Ｐは、上記したように、密栓所定距離Ｄを変化させることにより、排水パイプ２１の排水穴２１ｂ内において自由に設定される位置である。例えば、図示のＰ１〜Ｐ３を含む、ある程度の範囲になる。
排水穴２１ｂ内の洗浄面積を可及的に大きくするためには、できるだけ排水パイプ２１の下方側を密栓することが好ましく、まず下端部Ｐ１が最も好ましいことになる。なお、下端部Ｐ１は底部２５より下方かつ排水パイプ２１の下端２１ｃまでの範囲を指称することにする。
【００４５】
Ｐ２は、底部２５より若干上方の位置であり、Ｐ３はさらに上方の位置である。いずれにしろ、できるだけ排水パイプ２１の下部を密栓して、排水穴２１ｂにおける洗浄液が充満される長さを長くすることが好ましい。
なお、Ｐ４は排水ホース１３のホース穴１３ｇ内を密栓した例である。この例のように、
ホース穴１３ｇの穴径が排水穴２１ｂの穴径と同じであり、かつ排水ホース１３の材料が密栓に耐えるだけの十分に高い剛性がある場合には、このような位置を所定の密栓位置とすることも可能である。
【００４６】
次に、清掃用具３０を用いた清掃手順を説明する。
図４の状態において、排水ダクト１２から、密閉蓋１８、ゴムキャップ１７、かご１６を取り出す。さらに、防臭キャップ１５を取り出す。これにより、排水パイプ２１の上端開口が露出する。
【００４７】
そこで、図７に示すように、排水パイプ２１の上方に配置した清掃用具３０を、下方（矢示ｂ方向）へ向かって栓３１を先頭にして排水穴２１ｂへ挿入する。
このとき、清掃用具３０を排水穴２１ｂへ挿入する当初段階では、センタリング部材３４は、筒状壁３４ｂが排水パイプ２１の外周へ外嵌するとともに、天井壁３４ａが排水パイプ２１の上端２１ａに当接する。また、この段階のセンタリング部材３４は上方移動可能になっているため、さらに栓３１を押し込むと、排水パイプ２１の上端２１ａにより、柄３２に対して相対的に上方へ移動する。
【００４８】
やがて、栓３１が所定の密栓位置Ｐになると、栓３１の挿入距離が密栓所定距離Ｄとなり、天井壁３４ａの上面が柄側ストッパ３８へ当接することにより、天井壁３４ａは上下方向の移動を規制されて停止する。すなわち、天井壁３４ａの下面が直線Ｑに重なると、センタリング部材３４は上下いずれの方向にも移動を停止されることになる。
同時に、柄３２も下方移動を規制されるため、この位置から下方へのさらなる栓３１の押し込みが不能になる。
【００４９】
これにより、栓３１は所定の密栓位置Ｐにて確実に位置決めされて固定される。
したがって、排水パイプ２１内を直接目視せずに、単に柄３２を持って栓３１を押し込んだだけでも、栓３１は所定の密栓位置Ｐへ確実に位置決め固定されるから、排水パイプ２１内に対する密栓作業が確実で容易かつ迅速になる。
【００５０】
続いて、シンク１０から排水ダクト１２内へ洗浄液２８を入れる。洗浄液２８は、排水路１１ｃが栓３１で閉じられているため、排水穴２１ｂを含む排水ダクト１２内に充填され、さらに液面Ｈがシンク１０の底部１０ａより若干上方になる位置まで充填される。このときの洗浄液２８の液面Ｈの高さＥは、底部１０ａからの高さである（図２参照）。
【００５１】
洗浄液は、漂白剤・中性洗剤・酸性洗剤・アルカリ洗剤等の適宜洗浄剤を水に溶かしたものである。漂白剤や洗剤など排水ダクトの洗浄用として市販されている洗浄剤を単品もしくは複数を混合して適宜使用可能である。
なお、排水パイプ２１内は汚れが酷く、周囲と同じ濃度の洗浄液では十分に洗浄できない場合がある。この場合には、センタリング部材３４の天井壁３４ａに向かって、所定濃度の洗浄液を投下する。この洗浄液は天井壁３４ａの穴３４ｃから排水パイプ２１の排水穴２１ａ内へ入り、排水穴２１ａ内の洗浄液濃度を濃くすることができる。
【００５２】
続いて、図２に示すように、防臭キャップ１５を排水ダクト１２内へ入れ、その上にかご１６を入れる。さらにかご１６の上にゴムキャップ１７を重ね、必要により、さらに密閉蓋１８を重ねる。
防臭キャップ１５は、天井部１５ａが清掃用具３０の柄３２における上部ボス３６の上端３６ａへ当接する。このとき、上端３６ａは、排水パイプ２１の上端２１ａより上方へ所定量Ａだけ突出しているので、防臭キャップ１５は清掃用具３０により持ち上げられた状態になり、キャップ側突起１５ｄがダクト側突起２３と段部２２との間から脱して所定量Ｂだけ上方へ離れた状態になる。また、つまみ１５ｃが底部１６ｃに当接し、かご１６により防臭キャップ１５の浮き上がりを阻止する。
【００５３】
さらに、かご１６が押し上げられて、フランジ１６ａがフランジ凹部２７ａから所定量Ｃだけ持ち上げられ、パッキン部１７ａもフランジ１６ａとの間に間隙Ｃ１を形成する。
これにより、少なくともかご１６の一部が、柄３２により押し上げられてシンク１０内へ突出し、シンク１０内の洗浄液中へ浸漬される。
このときのシンク１０内における液面Ｈの高さＥは、密閉蓋１８、ゴムキャップ１７及びフランジ１６ａがシンク１０内にて洗浄液２８中へ浸漬されるように設定される。
【００５４】
この状態で、所定時間（例えば、一晩）放置し、洗浄液２８により洗浄をおこなう。
翌日、防臭キャップ１５、かご１６、ゴムキャップ１７及び密閉蓋１８を取り出し、シンクの底部１０ａ上へ置く。
但し、一晩放置するのは、流しが業務用のためである。家庭用の場合は、これより遙かに短い放置時間にする。
【００５５】
次に、清掃用具３０を排水路１１ｃから取り出し、シンク１０及び排水ダクト１２内の洗浄液２８（封止液２６ａを除く）を排水ホース１３から排水し、さらに、シンク１０内に清水を流し、防臭キャップ１５、ゴムキャップ１７及び密閉蓋１８、排水ダクト１２の内部（排水パイプ２１及び排水穴２１ｂを含む）及び排水ホース１３上部内の汚れや洗浄液２８を洗い流す。これにより、洗浄液２８と接触していた部分は、ヌメリ等の汚れが除去された清潔な状態となり、手で気持ちよく触ることができる。
その後、防臭キャップ１５を排水パイプ２１へ取付け、さらにかご１６、ゴムキャップ１７及び密閉蓋１８を排水ダクト１２内へ入れると、洗浄を終えて、流しとして通常の使用をする、図４に示す当初状態になる。
【００５６】
このようにすると、排水ダクト１２内全体へ洗浄液２８を充満させて、排水ダクト１２の内部全体を洗浄液２８へ浸漬させ、所定時間このままに放置するだけで、全体をムラなく洗浄できる。したがって、排水ダクト１２内へ殆ど手を入れることなく、排水ダクト１２内の汚れを均一かつ確実に除去でき、手間がかからずに除去できる。しかも、洗浄作業が快適かつ容易になる。特に、従来は洗浄されなかった、排水パイプ２１の排水穴２１ｂ内も同時に洗浄されるので、排水パイプ２１内を確実に洗浄でき、流しの衛生向上に貢献できるとともに、そのための作業が容易かつ迅速になった。
【００５７】
さらに、柄３２に、センタリング部材３４を設けたので、栓３１を排水穴２１ｂ内へ差し込んだとき、センタリング部材３４が排水パイプ２１の上部へ嵌合して、柄３２の心出しをして柄３２の倒れを防ぎ、栓３１の密栓状態を維持できる。同時に、センタリング部材３４が、栓３１の位置決め手段をなすストッパとしても機能することができる。
【００５８】
なお、センタリング部材３４をストッパにする構造は種々の変形例が可能であり、これを図９に示す。
図９のＡは、柄側ストッパ３８を調整移動不能にする例である。柄側ストッパ３８は丸囲み部内に示すように種々なものが可能である。例えば、（ａ）に示すように圧着リング３８ａとし、この圧着リング３８ａを柄の外周へ圧入等で密に固定することができる。
【００５９】
（ｂ）は柄側ストッパをクリップ３８ｂとした例であり、柄３２の外周に設けた溝３２ａにクリップ３８ｂを係合させて取付けるようになっている。なお、クリップとしては、サークリップなど各種のものが使用可能である。
（ｃ）は、リング状などの遊嵌部材３８ｃを柄側ストッパとして用いた例であり、これを溶接により柄３２の外周へ固定したものである。
【００６０】
図９のＢ〜Ｄは、柄側ストッパ３８を調整移動可能にした例である。
まず、図９のＢは、オーリングのような弾性リング３８ｄを柄側ストッパとして用いた例である。この弾性リング３８ｄを弾性変形させて拡径しながら柄３２の外周所定位置へ密着固定し、天井壁３４ａの上動を規制する。弾性リング３８ｄの弾性を、天井壁３４ａが位置決め時に当接する程度の力では動かないように予め設定することで、柄側ストッパとしての機能を果たすことができる。
【００６１】
一方、より大きな力を加えると、弾性リング３８ｄは長さ方向へ移動可能になって、弾性リング３８ｄの位置を調整可能になる。そこで、弾性リング３８ｄの位置を変更することにより、密栓所定距離Ｄを変化させることができる。その結果、所定の密栓位置を容易に変更できるようになる。
【００６２】
図９のＣは、柄３２にねじ３２ｂを設け、これに締結するナット３８ｅを柄側ストッパとしたものである。ねじ３２ｂの上でナット３８ｅを回転させることにより、ナット３８ｅの位置を変化させれば、所定の密栓位置を容易に変更できる。
なおこの例では、ねじ３２ｂは柄３２の上端まで形成されており、ここに上部ボス３６を締結できるようになっている。
【００６３】
図９のＤは、上部ボスを柄側ストッパとした例である。この上部ボス３６Ａは、図９のＣに記載したものよりも上下方向に長く形成され、その軸心部に下方へ開放された雌ネジ穴３６ｂが形成されている。一方、柄３２の上部には上端までねじ３２ｂが設けられている。そこで、上部ボス３６Ａの雌ネジ穴３６ｂを柄３２のねじ３２ｂに締結し、下端３６ｃが密栓所定距離Ｄで天井壁３４ａへ当接するように設定する。
【００６４】
これにより、特別に柄側ストッパを設けなくても、天井壁３４ａの移動規制が可能になる。また、上部ボス３６Ａを回転すれば、下端３６ｃの位置を調整自在になる。
なお、柄３２を上部が太径をなす段付き状にすれば、太径部が上部ボスと同様に機能するとともに、天井壁３４ａの上方移動を規制する柄側ストッパとしても機能させることができる。但し、この場合の太径部は、調整移動不能タイプの柄側ストッパとなる。
【００６５】
図１０は第２実施例に係る清掃用具３０Ａを用いた流しの清掃時状態を示す断面図である。清掃用具３０Ａは清掃用具３０と一部のみが相違するだけであり、他の部分は共通するため、相違点を中心に説明し、共通部分は共通符号を用い、説明を簡略もしくは省略する。
清掃用具３０Ａは、前実施例の清掃用具３０（図５及び図６参照）に対して、長尺の柄３２Ａと、握り３７を備える点が相違している。
【００６６】
柄３２Ａは、柄３２を上方へ長く延長したものに相当し、その長さは、栓３１の密栓時に、握り３７がシンク１０内の液面Ｈより上方へ突出するように設定されている。
なお、この例では、柄３２Ａが長いので、これが倒れないようにするため、センタリング部材３４が大いに役立つ。このとき、センタリング部材３４は柄３２Ａに対して長さ方向へ移動自在であるが、柄側ストッパ３８を設けて、その上方移動を所定位置で規制している。この位置は、密栓所定距離Ｄを得るためのものであって、前実施例と同じように設定される。
【００６７】
したがって、栓３１を上端２１ａ内へ入れて、清掃用具３０Ａを押し下げると、センタリング部材３４が排水パイプ２１に外嵌して、柄３２Ａの倒れを防ぐ。同時に、天井壁３４ａが上端２１ａに当接し、かつ天井壁３４ａに柄側ストッパ３８が当接して、それ以上押し下げできなくなるので、栓３１を所定の位置にて密栓でき、栓３１の位置決めが可能になる。
【００６８】
また、防臭キャップ１５、かご１６、ゴムキャップ１７、密閉蓋１８は、長い柄３２Ａが上下方向へ通っているため、排水ダクト１２内へ収容できないので、底部１０ａ上に置く。
この状態で排水ダクト１２内へ洗浄液２８を入れ、底部１０ａ上の防臭キャップ１５、かご１６、ゴムキャップ１７、密閉蓋１８が浸漬されるように、底部１０ａからの液面Ｈの高さＥを調整する。このＥは、図２におけるものよりも大きくなっている。
【００６９】
次に、位置決め部材を、第１実施例及び第２実施例におけるセンタリング部材と異なるものにした第３実施例を説明する。
すなわち、上記各実施例におけるセンタリング部材３４は、排水パイプ２１へ外嵌されるものであったが、センタリング部材は、排水パイプ２１へ外嵌するものばかりでなく、排水穴２１ｂ内へ内嵌するものでもよい。
図１１はこのようなセンタリング部材３４Ｂを示し、図１１のＡにセンタリング部材３４Ｂの使用状態における断面図、図１１のＢにセンタリング部材３４Ｂを構成するストッパ部及びセンタリング部の上方視図、図１１のＣに同Ｂの変形例を示す。
【００７０】
この清掃用具３０Ｂは、図６に示す第１実施例に係る清掃用具３０について、そのセンタリング部材３４のみに若干変更を加えたセンタリング部材３４Ｂを用いたものであり、センタリング部材３４Ｂは同３４の変形例である。
このセンタリング部材３４Ｂは、カップ状をせず、板状のストッパ部３４ｇ及びセンタリング部３４ｈからなる２部材で構成されている。
【００７１】
これらのストッパ部３４ｇ及びセンタリング部３４ｈは、それぞれ図１１のＢに示す円板状をなし、ストッパ部３４ｇが大径部材であり、センタリング部３４ｈが小径部材である。
ストッパ部３４ｇは外周部が排水パイプ２１の上端２１ａへ重なる大きさである。
センタリング部３４ｈは、排水パイプ２１の肉厚分だけ小径であり、外周が排水穴２１ｂ内にて排水パイプ２１の内面へ当接する。
なお、図１１のＢはストッパ部３４ｇを示し、センタリング部３４ｈは下に重なって見えていない。但し同形である。また、図１１のＣも同様である。
【００７２】
ストッパ部３４ｇ及びセンタリング部３４ｈには、洗浄液を通すための穴３４ｃ及び柄３２を通過させるための中央穴３４ｉがそれぞれ形成されている。中央穴３４ｉは各部材の中心部に設けられる同一寸法のものであり、柄３２の外径よりも若干大きな穴径をなしている。これら２部材は同心で重ね合わされ、好ましくは一体化されて積層体のセンタリング部材３４Ｂになっている。
【００７３】
このセンタリング部材３４Ｂの中心穴３４ｉに柄３２を通すと、センタリング部材３４Ｂは柄３２に対して長さ方向移動可能になる。
一方、柄３２にはねじ３２ｂが設けられており、センタリング部材３４Ｂは、ねじ３２ｂに締結するナット３８ｅにより、上方移動を規制される。ねじ３２ｂ、ナット３８ｅ並びに柄３２の上端部へネジ止めされる上部ボス３６は、図９のＣに示すものと同じである。
【００７４】
栓３１を排水パイプ２１内へ挿入すると、センタリング部３４ｈが排水パイプ２１の内側へ嵌合して柄３２の心出しを行うとともに、ストッパ部３４ｇの外周部が排水パイプ２１の上端２１ａに当接する。
そこで、排水パイプ２１の上端２１ａに当接しているストッパ部３４ｇが、密栓所定距離Ｄにて上動を阻止されるようにナット３８ｅの位置を設定すると、センタリング部材３４Ｂは位置決め手段のストッパとなる。
【００７５】
なお、ストッパ部３４ｇ及びセンタリング部３４ｈは一体化することが好ましいが、別体のままでもよい。この場合は、センタリング部３４ｈが下方へ落ちてしまわないよう、別のナット３８ｅで適当位置に固定することが好ましい。
【００７６】
また、ストッパ部３４ｇ及びセンタリング部３４ｈは、図１１のＣに上方視図を示すように、リング状のハブ３４ｊから径方向へ張り出す複数の腕部３４ｋからなるものとしてもよい。ストッパ部３４ｇとセンタリング部３４ｈは腕部３４ｋの長さが異なり、ストッパ部３４ｇの腕部３４ｋは、先端部が排水パイプ２１の上端２１ａへ重なって当接するように長くし、センタリング部３４ｈの腕部３４ｋは排水パイプ２１の内側へ嵌合するよう短くする。ハブ３４ｊには中央穴３４ｉが設けられている。
このようにしても、上記図１１のＢのものと同様に、位置決め手段のストッパをなすセンタリング部材として機能する。
【００７７】
なお、ストッパ部３４ｇ及びセンタリング部３４ｈのいずれか一方を図１１のＢに示すものとし、他方を図１１のＣに示すものとして組み合わせてもよい。
また、ストッパ部３４ｇ及びセンタリング部３４ｈを一体にする場合は、別部材を重ね合わせるのでなく、予め厚肉の一部材で形成し、その外周部を２段の段付き状に形成したものでもよい。
さらに、中央穴３４ｉに代えて雌ネジ穴にすれば、直接ねじ３２ｂへねじ結合でき、ナット３８ｅを省略できる。
【００７８】
次に、位置決め手段のストッパをセンタリング部材ではないものにした第４実施例を説明する。図１２のＡは、第４実施例に係る清掃用具３０Ｃで排水穴２１ｂを塞いだ状態を示す排水パイプ近傍部の断面図であり、図８と同様部位の断面図である。図１２のＢ〜Ｆはストッパの上方視図である。
この清掃用具３０Ｃは、柄３２の軸直交方向へ突出するストッパ４０を備える。この例では、ストッパ４０は棒状をなし、柄３２を軸直交方向へ貫通し、柄３２と一体になっている。また、ストッパ４０の突出する先端は、栓３１が所定の密栓位置Ｐにあるとき、排水パイプ２１の上端２１ａへ重なって当接する（図１２のＢ参照）。
【００７９】
すなわち、ストッパ４０は固定式ストッパを構成するが、センタリング機能を備えていない。このようにしても、栓３１を所定の密栓位置Ｐへ確実に位置決めできる。
なお、図１２のＢに示すストッパ４０は柄３２を軸直交方向へ貫通する１本のものであったが、図１２のＣに示すように、柄３２から別々に軸直交方向へ突出させる複数のストッパ４０Ａとしてもよい。この場合、各ストッパ４０Ａは溶接等により柄３２の外周へ固定される。ストッパ４０Ａの本数は自由である。
【００８０】
図１２のＤ〜Ｆは、板状のストッパ４０Ｂ〜４０Ｄにした例である。図１２のＤに示すストッパ４０Ｂは、図１１のＣに示すものと同様に、リング状のハブ４１とその径方向へ張り出す複数の腕部４３からなる。ハブ４１には中央穴４２が設けられ、柄３２が貫通し、ストッパ４０Ｂは柄３２に対して長さ方向へ可動である。ストッパ４０Ｂは可動式であり、図９や図１１に示した適宜構造により、所定の密栓位置Ｐにて上方移動を規制される。
このようにしても、ストッパ４０Ｂは位置決め手段をなし、栓３１を所定の密栓位置Ｐへ位置決めできる。
【００８１】
図１２のＥは、図１２のＤに示したものに対して腕部４３の数を増やしたストッパ４０Ｃを示す。このように、腕部４３の数は任意であり、かつ隣り合う腕部４３の間隔も自由である。
図１２のＦは、図１１のＢに示したものと同様の円板状をなす本体部４４からなるストッパ４０Ｄを示す。本体部４４の外径は、外周部が排水パイプ２１の上端２１ａへ重なって当接するように設定されている。また、柄３２を通過させる中心穴４５や洗浄液を通す穴４６が形成されている。このストッパ４０Ｄも図１１のＢに示したものと同様に、可動式のストッパとして構成される。
【００８２】
次に、位置決め手段を柄３２自体に設けた第５実施例を説明する。
この実施例の位置決め手段は、栓３１を強制的に位置決めするものではなく、栓３１が所定の密栓位置Ｐになったことを明示し、その結果、栓３１の挿入移動を停止して、所定位置に位置決めするものである。
【００８３】
図１３のＡは、この位置決め手段として、清掃用具３０Ｄの柄３２に位置決め表示５０を施したものを示す。この位置決め表示５０は、栓３１が所定の密栓位置Ｐにあるとき、排水パイプ２１の上端２１ａを通る直線Ｑと交わる柄３２の外周面に形成された位置決めマークであり、ペイントや刻設等の適宜手段で設けられている。
作業者は、位置決め表示５０が排水パイプ２１の上端２１ａと横に重なったとき、挿入動作を停止する。すると、位置決め表示５０と所定の密栓位置Ｐの距離が密栓所定距離Ｄと一致しているので、栓３１は確実に所定の密栓位置Ｐに位置決めされる。
【００８４】
なお、このような位置決め表示５０は種々な形態が可能である。図中の丸囲み部には、この数例を示す。まず、（ａ）に示すものは、柄３２の直線Ｑと重なる位置に、位置決め表示としての位置決めライン５１を設けたものである。
（ｂ）に示すものは、柄３２の直線Ｑと重なる位置に、位置決め表示としての位置決め溝５２を設けたものである。
（ｃ）に示すものは、柄３２の直線Ｑと重なる位置に、位置決め表示としての目盛り５３を設けたものである。
作業者はこれらの位置決め表示に基づいて、排水穴２１ｂ内を直接目視確認できなくても、排水穴２１ｂの外での目視により栓３１の確実な位置決めが可能になる。
【００８５】
図１３のＢは、特別な位置決め表示を設けない例である。この例では、栓３１が所定の密栓位置Ｐにあるとき、清掃用具３０Ｅの柄３２の上端を直線Ｑと一致する位置決め端面５４としたものである。作業者は位置決め端面５４が直線Ｑと一致したとき、栓３１が所定の密栓位置Ｐに達したことを認識し、栓３１の挿入を停止することにより、栓３１の位置決めが可能になる。この場合も、排水穴２１ｂの外での目視により栓３１の確実な位置決めが可能になる。
【００８６】
図中の符号５５は柄３２の上端部に設けた取り出し用の紐である。この例では柄３２の上端が直線Ｑと一致するため、取り出し用のハンドル３３を設けることができないが、その代わりに紐５５を付けておき、栓３１の密栓時に、紐５５の自由端側を排水ダクト１２の外まで延ばしておけば、紐５５を引っ張ることにより、容易に清掃用具３０Ｅを排水パイプ２１から取り出すことができる。
【００８７】
図１４は、位置決め手段を排水パイプ側に設けた第６実施例を説明するものであり、図１４のＡは栓３１による密栓部近傍の断面図、図１４のＢは排水パイプ２１Ａの下端部を上方から示す図である。これらの図に示すように、排水パイプ２１Ａの下端には、排水穴２１ｂを狭めるように内方へ張り出す底部ストッパ６０が一体に設けられている。底部ストッパ６０は排水穴２１ｂの内側へ突出する上方視でリング状をなしており（図１４のＢ参照）、本願発明における排水パイプ２１側に形成されるストッパ部に相当する。
【００８８】
底部ストッパ６０の中心部には排水穴２１ｂと連通する貫通穴６１が設けられている。貫通穴６１の穴径Ｄ２は栓３１の下面３１ｂにおける外径Ｄ５より小さい（Ｄ５＞Ｄ２）。また、底部ストッパ６０の上面が所定の密栓位置Ｐになっている。
栓３１の上面３１ａの外径Ｄ４は排水穴２１ｂの穴径Ｄ１より小さく（Ｄ１＞Ｄ４＞Ｄ５）、栓３１の上面３１ａと排水パイプ２１Ａの内面との間には間隙Ｓが形成され、栓３１は側面３１ｃが排水パイプ２１Ａの内面へ接触しないようになっている。
【００８９】
そこで、栓３１を排水穴２１ｂ内へ挿入して下方へ押し込むと、栓３１は排水パイプ２１Ａと非接触のため、スムースに下方へ押し込まれ、やがて下面３１ｂが底部ストッパ６０の上面へ密接すると、この位置で押し当てられて停止し、密栓状態で位置決めされる。
したがって、清掃用具３０を排水パイプ２１Ａへ取付けようとする作業者は、単に清掃用具３０を排水パイプ２１Ａ内へ挿入して、停止するまで押し込むだけで確実に所定位置へ位置決めできる。しかも、栓３１と排水パイプ２１Ａとの間に間隙Ｓを設けたので、清掃用具３０の着脱が容易になる。なお、所定の密栓位置Ｐは排水パイプ２１Ａの下端に限らず、それよりも上方位置へ任意に設定できる。
【００９０】
図１５は、図１４に記載したものの変形例であり、図１５のＡは栓３１による密栓部近傍の断面図、図１５のＢは排水パイプ２１Ｂの下端部を上方から示す図である。
これらの図に示すように、排水パイプ２１Ｂの下端に設けられた底部ストッパ６０Ａは排水パイプ２１Ｂの下端へねじ込み式に着脱される別体部材であり、その中心に設けられる貫通穴はテーパー穴６２になっている。
テーパー穴６２における下端開口６３の穴径は図１４の貫通穴６１と同じＤ２であるが、上端開口６４の穴径はより広いＤ３になっている。Ｄ３＞Ｄ４＞Ｄ２＞Ｄ５の関係になっている。
【００９１】
栓３１はテーパー穴６２内へ嵌合し、側面３１ｃがテーパー穴６２のテーパー面と密に接触している。所定の密栓位置Ｐは、栓３１の上面３１ａとテーパー穴６２との接触位置Ｐ５と、下端開口６３と栓３１の側面３１ｃとの接触位置Ｐ６との範囲になる。
栓３１の上面３１ａにおける外径Ｄ４は排水パイプ２１Ｂの内径Ｄ１より小さく、挿入時に栓３１が排水パイプ２１Ｂの内側面へ非接触となるようになっている。
【００９２】
そこで、栓３１を排水穴２１ｂ内へ押し込むと、栓３１は排水パイプ２１Ｂと非接触のため、スムースに下方へ押し込まれ、やがて底部ストッパ６０Ａのテーパー穴６２内へ嵌合し、側面３１ｃがテーパー穴６２のテーパー面へテーパー接合で密接し、この位置で停止して位置決めされる。
【００９３】
このようにすると、栓３１をテーパー接合でテーパー穴６２へ嵌合するので、密栓時の状態が強固に維持されシール性が高まる。また、挿入方向で密栓かつ位置決めされるので、作業が容易になる。さらに底部ストッパ６０Ａを別体部材としたため、テーパー穴６２を有する底部ストッパ６０Ａの形成が容易になる。
但し、底部ストッパ６０Ａを排水パイプ２１Ｂと一体に成形することは自由である。
【００９４】
なお、本願発明は上記の各実施例に限定されるものではなく、発明の原理内において種々に変形や応用が可能である。
例えば、図５及び図６に示した可動式ストッパを、固定式にすることは任意にできる。また、可動式ストッパとしたとき、柄側ストッパ３８は、図９に示したもの等種々可能である。なお、図５及び図６に示した可動式ストッパにおける柄側ストッパ３８の構成としては、図５及び図６に示すハンドル３３を、柄側ストッパ３８としての所定位置にすることでも容易に実現できる。
【００９５】
また、図９・１１に示したセンタリング部材及び図１２に示したストッパ並びに図１３のＡ及び図１４・１５に示した位置決め手段は、柄３２が長短いずれになっている清掃用具にも適用できる。
さらに、所定の密栓位置Ｐにおける柄３２側に設けたストッパの移動規制は、排水パイプ２１の上端２１ａのみならず、例えば、長さ方向の中間部等で行うこともできる。
また、排水パイプ２１側に設けられるストッパ部は、排水パイプ２１の底部ではなくその上方位置に設けてもよい。
【符号の説明】
【００９６】
１０：シンク、１２：排水ダクト、１３：排水ホース、１３ｇ：ホース穴、１４：防臭トラップ、２０：ダクト本体、２１・２１Ａ・２１Ｂ：排水パイプ、２１ａ：排水パイプの上端、２１ｂ：排水穴、３０・３０Ａ・３０Ｂ・３０Ｃ・３０Ｄ・３０Ｅ：清掃用具、３１：栓、３２：柄、３４：センタリング部材、３８：柄側ストッパ、４０・４０Ａ：ストッパ、５０：位置決め表示、６０・６０Ａ：底部ストッパ、Ｄ：密栓所定距離、Ｐ：所定の密栓位置
【図１】
2020128664.tif 000003
【図２】
2020128664.tif 000004
【図３】
2020128664.tif 000005
【図４】
2020128664.tif 000006
【図５】
2020128664.tif 000007
【図６】
2020128664.tif 000008
【図７】
2020128664.tif 000009
【図８】
2020128664.tif 000010
【図９】
2020128664.tif 000011
【図１０】
2020128664.tif 000012
【図１１】
2020128664.tif 000013
【図１２】
2020128664.tif 000014
【図１３】
2020128664.tif 000015
【図１４】
2020128664.tif 000016
【図１５】
2020128664.tif 000017